(57)【特許請求の範囲】
【請求項１】
ラベル剥離層を有する台紙およびこの台紙上に仮着した複数枚のラベル片を有するラベル連続体を移送方向に移送するとともに、前記ラベル連続体の前記台紙のみを転向させることによりこの台紙から前記ラベル片を剥離可能とする転向部材と、
この転向部材の左右端部を支持するプラテンと、
このプラテンを支持する左右一対の側板と、
前記プラテンに対向するとともに、前記ラベル連続体を前記転向部材の方向にガイドするラベルガイド片と、
を有するラベル印字貼付器のラベル規制ガイド機構であって、
前記ラベルガイド片は、
前記左右一対の側板にそれぞれ形成した左右一対の係合溝に係合可能な左右一対の係合翼部と、
前記左右の係合翼部を前記移送方向の上流側にて連結するストッパー部と、
前記左右の係合翼部を前記移送方向の下流側にて連結する転向ガイド部と、
を一体的に有するとともに、
前記係合溝の後端部に前記ストッパー部が当接するよう係合溝に前記係合翼部を係合・位置決めし、前記係合翼部、ストッパー部および転向ガイド部により囲まれた前記ラベルガイド片の空隙領域に前記プラテンの表面が臨むようにしたことを特徴とするラベル印字貼付器のラベル規制ガイド機構。
【請求項２】
前記ラベルガイド片は、これを左右対称に形成したことを特徴とする請求項１記載のラベル印字貼付器のラベル規制ガイド機構。
【請求項３】
前記側板には、該側板の内方に突出する突出部を前記係合溝の上方部に形成したことを特徴とする請求項１記載のラベル印字貼付器のラベル規制ガイド機構。
【請求項４】
前記ラベルガイド片の前記ストッパー部は、前記係合翼部を含む平面に対してほぼ直角にこれを成形したことを特徴とする請求項１記載のラベル印字貼付器のラベル規制ガイド機構。
【請求項５】
前記ラベルガイド片は、合成樹脂によりこれを形成したことを特徴とする請求項１記載のラベル印字貼付器のラベル規制ガイド機構。
【発明の詳細な説明】
【０００１】
【発明の属する技術分野】
本発明はラベル印字貼付器のラベル規制ガイド機構にかかるもので、とくに携帯式のラベル印字貼付器などにおいて、その印字器に対設されたプラテン上に案内されるラベル連続体をこのプラテン方向に押し当て案内するラベル印字貼付器のラベル規制ガイド機構に関するものである。
【０００２】
【従来の技術】
従来の携帯式のラベル印字貼付器１について図６にもとづき概説する。
図６は、携帯式のラベル印字貼付器１の概略縦断面図であって、ラベル印字貼付器１は、左右一対の側板２と、ラベルケース３と、印字器４と、移送ローラー５と、ラベル押さえ部材６と、プラテン７と、このプラテン７の上部に設けた左右一対のラベルガイド片８と、転向ピンなどによる転向部材９と、下蓋１０と、貼付ローラー１１と、を有し、左右一対のラベルガイド片８、転向部材９および下蓋１０によりラベル規制ガイド機構１２を構成する。
【０００３】
左右一対の側板２は、上述の各部材をその間に軸支あるいは取り付けて保持する。
【０００４】
ラベルケース３は、ラベル連続体１３をロール状に保持するとともに、ラベル連続体１３を帯状に繰り出して、このラベル連続体１３をラベル押さえ部材６および移送ローラー５の間、さらに左右一対のラベルガイド片８とプラテン７との間に供給可能とする。
ラベル連続体１３は、ラベル剥離層を有する帯状の台紙１４、およびこの台紙１４上に仮着した複数枚のラベル片１５からこれを構成している。
【０００５】
印字器４は、プラテン７上に位置するラベル連続体１３（ラベル片１５）に所定の印字を行うもので、側板２に対して揺動操作するハンドル（図示せず）を操作することにより印字動作を行う。
【０００６】
移送ローラー５は、その周面に移送用突起１６を有して、ラベル押さえ部材６との間に供給されたラベル連続体１３との係合を可能とし、上記ハンドルの操作により印字器４の下降作動（ラベル片１４上への印字作動）と同期して回転軸１７のまわりに回転し、ラベル連続体１３をプラテン７方向に送り出すとともにプラテン７の先端の転向部材９においてラベル片１５を剥離し、さらにラベル片１５を剥離された台紙１４を後方に送り出す。
【０００７】
プラテン７は、その表面側にラベル連続体１３をその裏面側にラベル片１５を通過可能としてあり、印字器４によるラベル連続体１３（ラベル片１５）への押印台となるものである。
【０００８】
左右一対のラベルガイド片８は、たとえば鉄その他の金属製であり、左右一対の側板２の内面側にプラテン７の上部に位置するようにこれを固定してある。ラベルガイド片８は、プラテン側平坦ガイド部１８および転向部材側傾斜部１９からこれを構成してある。
プラテン側平坦ガイド部１８は、プラテン７に上方から対向するとともにラベル連続体１３の左右両端縁部をプラテン７方向に押さえるようにガイドする。転向部材側傾斜部１９は、このプラテン側平坦ガイド部１８の先端部にわずかに下方に傾斜させてある。
【０００９】
転向部材９は、プラテン７の先端部にこれを取り付け、この転向部材９部分でラベル連続体１３の台紙１４のみを転向させ、ラベル片１５をそれ自体の剛性により台紙１４から剥離して貼付ローラー１１の下方部に位置させる。
貼付ローラー１１は、回動軸２０に回転可能にこれを軸支し、被貼付物（図示せず）へのラベル片１５の貼付を可能とする。
【００１０】
下蓋１０は、転向部材９に臨むその先端部にガイド用傾斜部２１を有する。ラベル連続体１３は、ラベルガイド片８のプラテン側平坦ガイド部１８および転向部材側傾斜部１９、さらにガイド用傾斜部２１および下蓋１０の表面の間を通過し、転向部材９の部分でＵターン可能とされ、台紙１４からラベル片１５を剥離可能とする。
なお前記プラテン７は、回動軸１７のまわりに図中反時計方向に回動開放可能であり、下蓋１０は回動軸２０のまわりに図中時計方向に回動開放可能であって、下蓋１０およびプラテン７の回動開放によりラベル印字貼付器１内にラベル連続体１３を装填挿通可能とする。
【００１１】
ラベル規制ガイド機構１２は、上述のように台紙１４からのラベル片１５の剥離を円滑に行うようにラベル連続体１３をプラテン７の方向に規制するとともに転向部材９方向にガイドする。
【００１２】
こうした構成の携帯式のラベル印字貼付器１、およびラベル規制ガイド機構１２において、左右一対のラベルガイド片８のプラテン側平坦ガイド部１８および転向部材側傾斜部１９はラベル連続体１３の移送および剥離のたびにラベル連続体１３との摩擦を繰り返すため、摩耗し、これを交換する必要がある。
【００１３】
従来は、左右一対のラベルガイド片８自体を金属製にすることにより耐摩耗性を向上させてはいるが、左右一対の側板２の内壁面にそれぞれ接合させているため、実際の交換時にはその交換作業が困難で、左右一対の側板２とともに全体を新品な部品と交換しているのが実状で、左右一対のラベルガイド片８のようなわずかな部品のために大きな部品全体を交換するというコスト上の問題がある。
【００１４】
なお、米国特許第４１４２９３２号に開示されているように、ラベルガイド片８に相当する部品を左右一対の側板２に対して着脱可能としている構成もあるが、ラベルガイド片の交換時に側板２全体を完全に分離分解する必要があって、再度の組み立て作業が必要であり、能率的ではないという問題がある。
【００１５】
【発明が解決しようとする課題】
本発明は以上のような諸問題にかんがみなされたもので、ラベルガイド片の交換作業を簡単に行うことができるようにしたラベル印字貼付器のラベル規制ガイド機構を提供することを課題とする。
【００１６】
また本発明は、左右一対の側板全体を交換するのではなく、ラベルガイド片のみを交換可能としたラベル印字貼付器のラベル規制ガイド機構を提供することを課題とする。
【００１７】
また本発明は、ラベルガイド片の交換作業にあたって左右一対の側板全体を分離分解する必要がなく、交換作業を能率よく行うことができるラベル印字貼付器のラベル規制ガイド機構を提供することを課題とする。
【００１８】
【課題を解決するための手段】
すなわち本発明は、ラベルガイド片を左右別体ではなく、これを一体型として交換可能とすること、ラベルガイド片が係脱可能に係合する係合溝を左右一対の側板の内壁面に形成することに着目したもので、ラベル剥離層を有する台紙およびこの台紙上に仮着した複数枚のラベル片を有するラベル連続体を移送方向に移送するとともに、前記ラベル連続体の上記台紙のみを転向させることによりこの台紙から上記ラベル片を剥離可能とする転向部材と、この転向部材の左右端部を支持するプラテンと、このプラテンを支持する左右一対の側板と、上記プラテンに対向するとともに、上記ラベル連続体を上記転向部材の方向にガイドするラベルガイド片と、を有するラベル印字貼付器のラベル規制ガイド機構であって、上記ラベルガイド片は、上記左右一対の側板にそれぞれ形成した左右一対の係合溝に係合可能な左右一対の係合翼部と、上記左右の係合翼部を上記移送方向の上流側にて連結するストッパー部と、上記左右の係合翼部を前記移送方向の下流側にて連結する転向ガイド部と、を一体的に有するとともに、上記係合溝の後端部に前記ストッパー部が当接するよう係合溝に上記係合翼部を係合・位置決めし、上記係合翼部、ストッパー部および転向ガイド部により囲まれた上記ラベルガイド片の空隙領域に上記プラテンの表面が臨むようにしたことを特徴とするラベル印字貼付器のラベル規制ガイド機構である。
【００１９】
上記ラベルガイド片は、これを左右対称に形成することができる。
【００２０】
上記側板には、該側板の内方に突出する突出部を上記係合溝の上方部に形成することができる。
【００２１】
上記ラベルガイド片の上記ストッパー部は、上記係合翼部を含む平面に対してほぼ直角にこれを成形することができる。
【００２２】
上記ラベルガイド片は、合成樹脂によりこれを形成することができる。
【００２３】
本発明によるラベル印字貼付器のラベル規制ガイド機構においては、左右一対のラベルガイド片を左右別体ではなく、これを一体型として交換可能な差し込みタイプとし、ラベルガイド片に係合する係合溝を左右一対の側板の内壁面に形成したので、左右一対の側板の互いの間をわずかに開けるだけでラベルガイド片をその間に差し込み可能とし、ラベルガイド片を係合溝に係合させて所定位置にセットし、この状態で左右一対の側板を再度組み付けて、ボルトなどにより締め付けるようにすることができる。
【００２４】
したがって、ラベルガイド片の交換にあたって従来のように左右一対の側板全体を新規に交換する必要もなく、かつ左右一対の側板全体を互いに分離分解する必要もなく、その間をごくわずか開けるようにボルトなどをゆるめるだけでラベルガイド片を所定の位置にセット固定することができ、ラベルガイド片の交換作業をきわめて簡単かつコスト低く行うことができる。
ラベルガイド片を従来のように金属製とする必要がなく、合成樹脂その他の安価な材料により製造することができる。
【００２５】
【発明の実施の形態】
つぎに本発明の実施の形態によるラベル規制ガイド機構を装備した携帯式のラベル印字貼付器３０について図１ないし図５にもとづき説明する。ただし、図６と同様の部分には同一符号を付し、その詳述はこれを省略する。
図１は、携帯式のラベル印字貼付器３０の分解要部斜視図であって、ラベル印字貼付器３０の主要部は、図６の携帯式のラベル印字貼付器１と事実上同様であるが、ラベル規制ガイド機構１２に相当するラベル規制ガイド機構３１を改良してある。
【００２６】
ラベル規制ガイド機構３１は、前記左右一対のラベルガイド片８に相当する単一かつ左右対称のラベルガイド片３２を有し、左右一対の側板２の内壁面にそれぞれ形成した左右一対の係合溝３３にこのラベルガイド片３２を係合可能としてある。
係合溝３３は、ラベル連続体１３の移送方向ないしプラテン７に沿って、プラテン７のわずかに上方側の側板２の内壁面にこれを形成してある。
【００２７】
ラベルガイド片３２は、左右一対の係合翼部３４と、ストッパー部３５と、転向ガイド部３６と、を合成樹脂により一体的に成形してある。
【００２８】
左右一対の係合翼部３４が、対応する左右一対の係合溝３３にそれぞれ係合する。
図２は、ラベルガイド片３２（係合翼部３４）が係合溝３３に係合する前の状態の、ラベル連続体１３の移送方向に直角な方向におけるラベル規制ガイド機構３１部分の縦断面図、図３は、同、ラベルガイド片３２（係合翼部３４）が係合溝３３に係合した状態の縦断面図であって、ラベルガイド片３２の幅が入るだけの間を側板２の間に形成すれば、側板２全体を分離分解しなくてもラベルガイド片３２を側板２の間に挿入して係合翼部３４と係合溝３３との係合を行うことが可能である。
【００２９】
ストッパー部３５は、係合翼部３４の上流側を連結するとともに、係合翼部３４を含む平面に対してほぼ直角にこれを成形してある。
【００３０】
転向ガイド部３６は、係合翼部３４の下流側を連結するもので、前記転向部材９に臨むその下面は、前記ラベルガイド片８の転向部材側傾斜部１９と同様の転向部材側傾斜部３７（図５）としてある。
【００３１】
図４は、ラベルガイド片３２、プラテン７および下蓋１０の相対関係を示すラベル連続体１３の移送方向に直角な方向におけるラベル規制ガイド機構３１部分の縦断面図であり、係合翼部３４、ストッパー部３５および転向ガイド部３６によって囲まれたラベルガイド片３２の空隙領域３８にプラテン７の表面、つまり印字器４の印字面が臨むようにしてある。
【００３２】
左右一対の係合溝３３は、とくに図３に示すように、ラベルガイド片３２の係合翼部３４がそれぞれ係合可能な深さを有するとともに、係合溝３３の上方部には側板２の内方に突出するように断面三角形状の突出部３９を形成してある。
【００３３】
図５は、ラベル連続体１３の移送方向に沿ったラベル規制ガイド機構３１部分の縦断面図であって、係合溝３３はその後端部４０が直角に上行しており、この後端部４０にラベルガイド片３２のストッパー部３５の左右両端部が係合し、ラベルガイド片３２全体をプラテン７、転向部材９および下蓋１０に対して所定の相対位置に位置決め可能としてある。
【００３４】
なお、図１を参照して、左右一対の側板２は五本のボルトすなわち、回動軸２０部分に相当する第１のボルト４１、回動軸２０の上方の第２のボルト４２、回動軸１７部分に相当する第３のボルト４３、ラベルケース３の近傍の第４のボルト４４、および側板２の後方端部に位置する第５のボルト４５により互いに締め付け可能としてある。
【００３５】
こうした構成の携帯式のラベル印字貼付器３０およびラベル規制ガイド機構３１において、ラベルガイド片３２を交換する際には、第１のボルト４１、第２のボルト４２、第３のボルト４３、第４のボルト４４および第５のボルト４５をそれぞれゆるめて左右一対の側板２を互いの間にわずかの隙間を形成する。
ただし、側板２はもちろん、内部の各機構ないし部品のそれぞれは、これを分離したり分解する必要はない。
【００３６】
つぎに、図６にもとづいて説明したように、下蓋１０を回動軸２０のまわりに時計方向に回動させ、さらにプラテン７を回動軸１７のまわりに反時計方向に回動させて、係合翼部３４を係合溝３３から取り外し、ラベルガイド片３２を取り出す。
【００３７】
新しい部品としてのラベルガイド片３２をセットするときには、上述の状態で側板２の間の隙間にラベルガイド片３２を入れ、図２に示したように係合翼部３４を係合溝３３に係合可能に位置させ、いずれか一方の係合溝３３に対応する一方の係合翼部３４を係合させる。
この係合の際、側板２の内方に突出部３９が突出しているので、ラベルガイド片３２を係合溝３３に係合する際のストッパーとして機能する。さらに係合溝３３の後端部４０にストッパー部３５が当接するので、ラベルガイド片３２の位置決めを確実に行うことができる。
【００３８】
ついで他方の側板２を近づけ、他方の係合溝３３に係合翼部３４を係合させ、第１のボルト４１、第２のボルト４２、第３のボルト４３、第４のボルト４４および第５のボルト４５をそれぞれ締め付けるだけでよい。
【００３９】
かくして、図４および図５に示すような組み立て状態とすることができるが、既述のように、左右一対の側板２を全体としてばらすことなく、他の部品との係合状態をほぼ維持したままラベルガイド片３２を着脱可能とすることができ、交換作業が非常に容易である。
【００４０】
しかも、ラベルガイド片３２は合成樹脂製であるため、安価に製造することができ、たびたび交換する必要があっても交換作業は上述のように簡単である。
さらにラベルガイド片３２は、左右一体かつ対称形状であり、部品としての強度を保持可能であるとともに、ラベル連続体１３の左右両端縁部をガイドする機能を一度の交換で実現することができる。
【００４１】
【発明の効果】
以上のように本発明によれば、ラベルガイド片を左右一対の側板の係合溝に係脱可能としたので、ラベルガイド片の交換作業を簡単とし、安価に製造することができる。
【図面の簡単な説明】
【図１】本発明の実施の形態によるラベル規制ガイド機構３１を装備した携帯式のラベル印字貼付器３０の分解要部斜視図である。
【図２】同、ラベルガイド片３２（係合翼部３４）が係合溝３３に係合する前の状態の、ラベル連続体１３の移送方向に直角な方向におけるラベル規制ガイド機構３１部分の縦断面図である。
【図３】同、ラベルガイド片３２（係合翼部３４）が係合溝３３に係合した状態の縦断面図である。
【図４】同、ラベルガイド片３２、プラテン７および下蓋１０の相対関係を示す、ラベル連続体１３の移送方向に直角な方向におけるラベル規制ガイド機構３１部分の縦断面図である。
【図５】同、ラベル連続体１３の移送方向に沿ったラベル規制ガイド機構３１部分の縦断面図である。
【図６】従来のラベル規制ガイド機構１２を装備した携帯式のラベル印字貼付器１の概略縦断面図である。
【符号の説明】
１  携帯式のラベル印字貼付器（図６）
２  左右一対の側板
３  ラベルケース
４  印字器
５  移送ローラー
６  ラベル押さえ部材
７  プラテン
８  左右一対のラベルガイド片
９  転向部材（転向ピン）
１０  下蓋
１１  貼付ローラー
１２  ラベル印字貼付器１のラベル規制ガイド機構
１３  ラベル連続体
１４  ラベル連続体１３の台紙
１５  ラベル連続体１３のラベル片
１６  移送用突起
１７  移送ローラー５およびプラテン７の回動軸
１８  ラベルガイド片８のプラテン側平坦ガイド部
１９  ラベルガイド片８の転向部材側傾斜部
２０  下蓋１０および貼付ローラー１１の回動軸
２１  下蓋１０のガイド用傾斜部
３０  携帯式のラベル印字貼付器（図１）
３１  ラベル印字貼付器３０のラベル規制ガイド機構（実施の形態、図１）
３２  左右対称のラベルガイド片
３３  側板２の左右一対の係合溝
３４  ラベルガイド片３２の左右一対の係合翼部
３５  ラベルガイド片３２のストッパー部
３６  ラベルガイド片３２の転向ガイド部
３７  転向ガイド部３６の転向部材側傾斜部
３８  ラベルガイド片３２の空隙領域
３９  側板２の断面三角形状の突出部
４０  係合溝３３の後端部
４１  第１のボルト
４２  第２のボルト
４３  第３のボルト
４４  第４のボルト
４５  第５のボルト
【図１】
0004040149.tif 000002
【図２】
0004040149.tif 000003
【図３】
0004040149.tif 000004
【図４】
0004040149.tif 000005
【図５】
0004040149.tif 000006
【図６】
0004040149.tif 000007